(57)【要約】      （修正有）【課題】石材にレーザー加工等により彫刻を施すことは従来から用いられており、比較的深掘りや線刻が大きい彫刻に積載が施用されているが、きめ細かい色彩表現は自由に施用することが困難であったことに対して、本発明において３００ミクロン程度の線刻にも容易に顔料を展着させた石材彫刻体を提供する。【解決手段】石材の任意面を滑らかに加工し、該面にレーザー加工により任意の図柄に沿って凹凸を形成し、凹面に単色又は多色の顔料を展着させて豊かな表現をもたらす石材彫刻体構造。【選択図】図１
2011025436.tif 000002
【特許請求の範囲】
【請求項１】
石材を基台とし、その一面にレーザーを用いて任意の絵又は文字及びそれらの組み合わせの図柄を彫刻し、彫刻された部分の図柄に併せて単色又は多色の顔料を展着させたことを特徴とする石材彫刻体。
【請求項２】
彫刻体が交通切符を模した記念物、マウスパット、賞状、祈念碑、表札、ウエルカムボード、看板等であることを特徴とする請求項１に記載の石材彫刻体。  
【発明の詳細な説明】
【技術分野】
【０００１】
本発明は、石材を基材としてその任意の面にレーザーを用いて絵又は文字並びにそれらの組み合わせの図柄を施し、該彫刻部分に単色又は複数の顔料を特殊な技法を用いて展着させた彫刻体を提供するものである。
【背景技術】
【０００２】
石材に彫刻を施すことは代表的な例として記念碑や墓碑が存在することは周知である。
その彫刻方法は古くは手彫りであり時代の趨勢により現在は機械掘りが主流となっている。
複雑な文様や深掘りを要しない彫刻としてはサンドブラスト法やレーザー加工などで行われることが多くなってきている。
【０００３】
サンドブラスト法では、予め用意された図柄のマスキングフィルムを帖着して、後工程でサンドブラスト工法により必要箇所を彫り込み凹凸を表現する彫刻体が提案されている（特許文献１）。
【０００４】
一方、レーザー加工では、戒名や俗名をレーザーにより彫り込み、裏面には接着剤を施し墓標等に貼り付けるプレートが提案されている（特許文献２）
また、骨壺本体の外部表面にレーザー加工により文字、遺影、図形等を刻設する骨壺が提案されている（特許文献３）
さらに、各種セラミックを基材とした板状の表面に高温で加熱して着色した情報記録板が提案されている（特許文献４）
【０００５】
何れも、単純な彫刻体であり、墓石などに代表される手彫り、機械掘り、サンドブラスト法による彫刻面にはエナメル等でペイントされることがあるが、文字等が大きくかつ凹凸の深さも十分なため可能であり、細かな表現を行うことには無理がある。一方、レーザー加工によると複雑な文様の表現できるもののその彫刻による凹凸サイズが薄く、着色させることには詳細な表現と耐久性に課題があった。
【先行技術文献】
【特許文献】
【０００６】
【特許文献１】特開平５−３０１４９８号  公開公報
【特許文献２】実用新案登録第３１２６６３７号  公開公報
【特許文献３】特開２００９−１３６３４８号  公開公報
【特許文献４】特開平８−１２７２００号  公開公報
【発明の概要】
【発明が解決しようとする課題】
【０００７】
以上のように、石材に彫刻を施用し、その凹凸面に着色を行った彫刻体は存在したが、極め細かな細工に対する彫刻と顔料点着により表現され、しかも特殊な顔料を用いないで自由な表現と共に耐久性に優れたた石材彫刻体は存在しなかった。
【課題を解決するための手段】
【０００８】
請求項１については、前記の課題を解決し、レーザー加工による彫刻の凹凸が浅く、かつ複雑・詳細な図柄に対して、特殊な技法を用いて単色又は多色の顔料を展着させた石材彫刻体を開発した。
その工程は、石材の表面を滑らかに加工した後、必要とする図柄のマスキングフィルムを帖着し、図柄を予めインプットしたレーザー加工により該図柄を彫刻する。
彫刻後に帖着したマスキングフィルムを除去し、図柄に表現するに相応する顔料を、特殊な技法（ノウハウに相当し本件出願においてはその詳細を開示しない）により常温で展着・乾燥させて表現する石材彫刻品を提供する。
【０００９】
請求項２については、本件発明の技術、技法を用いることによって、交通切符を模した記念物、マウスパット、賞状、墓碑、表札、ウエルカムボード、看板等多様な商品を排出できることを提案するものである。
【発明の効果】
【００１０】
本件発明の技術、技法を用いることによって、従来表現が困難とされていた３００ミクロン程度の細線刻をも顔料展着が可能であり、基材が石材でありながらレーザー加工と併用することによってあらゆる有色図柄を表現した彫刻体を排出することができる。
また、顔料とする塗料は通常用いられる市販品のアクリル系絵の具を用いても良く、多色に対応容易、入手容易、水性のため乾燥が可能など、特殊な顔料を必要としないことも優位である。
【図面の簡単な説明】
【００１１】
【図１】実施例１の石材揺動体の斜示図
【図２】実施例１の石材揺動体の正面図
【図３】実施例１の石材揺動体の側面図例
【図４】実施例１の類似形状の石材揺動体の正面図
【図５】実施例１の類似形状の石材揺動体の側面図
【発明を実施するための形態】
【００１２】
請求項１について、石材の任意の表面２を予め滑らかに加工し、該表面２に予め文字、絵画又はその組み合わせ等の図柄６を織り込んだマスキングフィルムを該表面に帖着し、レーザー加工機を活用して該マスキングフィルムの図柄に沿って彫刻を行い、該表面に凹部を施用する。
凹部が施要された該石材の表面からマスキングフィルムを除去し、レーザー加工された凹部に、表現するための単色又は多色の顔料（通常の市販製アクリル絵の具塗料などの水性塗料）を特殊な技法で展着させ、常温で該展着塗料を乾燥させて完成させた石材彫刻体１とすることにある。
【実施例】
【００１３】
図１〜図２を用いて本件発明の技法を用いた石材彫刻体１の揺動体を説明する。
石材１は外周を円形とし、その側面の一方（裏面）の面３を円周と鉛直角度の平面とし、他方（表面）の面２を円周とは１２０度〜１５０度の角度に加工し（図３Ａ）、上部４と底部５の材の厚さの相違が重量の相違とすることによって、円周方向の左右への揺動に対して何時も定まった角度に復元する石材彫刻体１である。
該石材彫刻体１の表面２には適宜な文字、絵画又はその組み合わせ等の図柄６がレーザー加工により施用され、最も小寸法の彫刻は３００ミクロンの凹部が形成され、該凹部には単色又は多色の顔料が特殊技法により展着されている。
【００１４】
本発明における石材彫刻体１の表面２と裏面３の円周に対する加工角度は図３（Ｂ）のように逆であっても良いし、（Ｃ）に示すように同じ角度を有しても良く、上部４の寸法が小さく、底部５の寸法が大きければ特定しない。
また、図４〜図５に示すように円周の表面２及び裏面３に跨って底部５が円弧状を呈して、前後の揺動に対しても復元力を有する形状も本発明の範疇とする。
【００１５】
また、形状についても円周の中に空洞を設けても良く、底部５周辺を除いて外周を一部加工して円形状態を保持しなくても良く、中心部より上部４の形状は動物や鳥類の形状に加工しても良く、底部５を円周形状に保ち円周方向の揺動に対して復元可能であれば本件発明の範疇とする。
【００１６】
請求項２について説明する。
レーザー加工による極細線の彫刻と該彫刻の凹部に本件発明の特殊技術・技法により顔料の展着が容易な特徴を活かすことで、石材を基材とする各種交通機関の切符を模した記念物や送り主や広告を彫刻したマウスパット、企業や官公庁における憲章向けの賞状、墓碑や記念碑、企業や各家庭向けの表札、店舗のウエルカムボード、企業における看板等をカラフルに表現でき、石材特有の重みのある石材彫刻体１を提供できる。
なお、これらの石材彫刻体１の形状については、請求項１の実施例の形状に制約されることなく、その利用目的にマッチする自由形状とすることも本発明の範疇とする。
【符号の説明】
【００１７】
１  石材彫刻体
２  表面
３  裏面
４  上部
５  底部
６  図柄
【図１】
2011025436.tif 000003
【図２】
2011025436.tif 000004
【図３】
2011025436.tif 000005
【図４】
2011025436.tif 000006
【図５】
2011025436.tif 000007